(57)【要約】【課題】インターネット上で初心者でも容易に写真を掲載する事ができる方法を提供する事【解決手段】インターネット上に写真掲載専用に開発されたサーバ（以下写真掲載サーバ）を設置し写真をユーザがウェブブラウザーを用いて写真掲載サーバに送信し、写真掲載サーバからインターネット上に写真掲載に必要なＨＴＭＬを製作しユーザのウェブブラウザー上に表示する、その後写真掲載に必要なＨＴＭＬをその他サーバに入力する事により写真を掲載する事ができる。【選択図】図４
2004157948.tif 000002
【特許請求の範囲】
【請求項１】
インターネット上に写真を掲載する方法において、上記インターネット上のサーバのホームページを用いて一枚または複数の写真を送信し、その写真をサーバが保存し保存された写真を元にそれらの写真をインターネット上に掲載するＨＴＭＬをサーバが製作表示する方法を、特徴とする写真掲載方法。
【請求項２】
上記写真を掲載するＨＴＭＬをサーバが製作表示する方法は、写真を掲載するＨＴＭＬを上記インターネット上その他のサーバに入力する事により写真を掲載する事を、特徴とする請求項１に記載の画像掲載方法。
【請求項３】
上記写真を掲載するＨＴＭＬをサーバが製作表示する方法は、写真を掲載するＨＴＭＬの種類を選べる事を特徴とする請求項１に記載の画像掲載方法。
【請求項４】
上記複数の写真は、美術品を含み美術品の場合にはより詳しく表示する為表示されるＨＴＭＬに拡大写真を自動的に追加する事を特徴とする請求項１に記載の画像掲載方法。
【発明の詳細な説明】
【０００１】
【発明の属する技術分野】本発明は、ユーザがウェブブラウザーを用いて写真を写真掲載専用に開発されたサーバ（以下写真掲載サーバ）に送信し、写真掲載サーバからインターネット上に写真掲載に必要なＨＴＭＬ製作しユーザに送信する、そのＨＴＭＬをユーザが用いる事によって簡便にインターネットに写真掲載を目的とするシステム。
【０００２】
【従来の技術】写真をインターネット上に掲載する場合は、写真を複雑なサーバ転送ソフトを用いてサーバに送信し次にそれを元にしたＨＴＭＬを記述しそのＨＴＭＬを写真と同様にサーバに送信する一連の操作が必要であった。
【０００３】
【発明が解決しようとする課題】しかし、このような一連の操作は非常に複雑である為に必要なソフトも増えコスト的にも高価となり、特に初心者には受け入れ難い一連の操作となっている。
【０００４】本発明は、上記した事情に鑑みなされたもので、近年一般化しているウェブブラウザーを使用する事によってこの一連の操作を初心者でも簡単に実行できるサービスを提供することを目的とする。
【０００５】
【課題を解決するための手段】上記の目的を達成するために、本発明によるインターネット上に写真掲載方法は、写真をユーザがウェブブラウザーを用いて写真掲載サーバに送信し、写真掲載サーバからインターネット上に写真掲載に必要なＨＴＭＬをユーザに送信する事を特徴とする。
【０００６】即ち、本発明のインターネット上に写真掲載方法によれば、複雑なサーバ転送ソフトを用いて送信し次にそれを元にしたＨＴＭＬを記述しそのＨＴＭＬを写真と同様にサーバに送信する一連の操作の必要が無くなる。その為に、容易にインターネット上に写真を掲載する事ができる。
【０００７】
【発明の実施の形態】＜システムの概要＞本発明の実施にあたってのシステム全体像について説明する。図１に示すように、写真掲載サーバ（Ｍ）設置し、インターネット網（１）に常時接続しておく、このインターネット網（１）はユーザのインターネット端末（Ｕ）およびその他のインターネット端末（Ａ）、その他サーバ（Ｋ）に常時接続可能環境にある。＜写真掲載サーバ（Ｍ）の詳細＞写真掲載サーバ（Ｍ）はユーザのインターネット端末（Ｕ）のウェブブラウザーに図２に示すホームページを表示する。ユーザは図２におけるＢ１に掲載したい写真を選びＢ２を押す事により写真掲載サーバ（Ｍ）に送信する。その後図３に示すように写真掲載サーバ（Ｍ）はユーザのインターネット端末（Ｕ）のウェブブラウザーから送信される写真（Ｐ）を、写真掲載サーバ（Ｍ）は写真掲載サーバ（Ｍ）内にユーザ毎に保存する、その後インターネット上で写真（Ｐ）表示する為のＨＴＭＬ（Ｈ１）を写真掲載サーバ（Ｍ）が製作する。製作されたＨＴＭＬ（Ｈ１）（写真をインターネット上で表示する為のＨＴＭＬ）をユーザのインターネット端末（Ｕ）のウェブブラウザーに表示する。また、製作されたＨＴＭＬ（Ｈ１）はユーザが事前に選択した表示方法に従って製作される。また、写真掲載サーバ（Ｍ）は写真（Ｐ）を処理する事によって大きさ等の変更等も同時に行う。その後図４に示すようにユーザは製作されたＨＴＭＬ（Ｈ１）をその他のインターネット端末（Ａ）、その他サーバ（Ｋ）に入力する事により写真（Ｐ）をインターネット上で掲載する事ができる。
【０００８】
【実施例】インターネット上ではＨＴＭＬは必需の言語である、その為インターネット上にある掲示板は書き込み欄中にＨＴＭＬを記載する事によって書き込み内容を変化させる事が可能である。そのため書き込み欄に記述したＨＴＭＬを反映した書き込みが可能である。例えば、掲示板中に写真を掲載する場合写真を複雑な転送ソフトを用いてサーバに転送しそれを元としたＨＴＭＬを記述し同様にサーバに転送をおこない、その後掲示板の書き込み欄にそのＨＴＭＬの表示する為のＨＴＭＬを記述しなければならない、本発明を利用する事によってユーザは写真を写真掲載サーバ（Ｍ）にウェブブラウザーを用いて転送する事によって。写真掲載サーバ（Ｍ）上で製作されたＨＴＭＬを利用する事により簡単にインターネット上で写真を掲載できる。
【０００９】
【実施例】インターネット上のオークションサイトでは商品の詳しい情報に比例して入札率が向上する特に古美術品等の美術品では、しかし多くのオークションサイトではサーバの負荷を抑える目的で商品情報としての写真の点数を３点または５点としている。その為、写真による詳しい情報の提供が十分に行う事が出来無い為、詳しい写真の追加が必要となってくる、本発明を使用する事によりオークションサイトの商品説明欄または写真欄等により多くの写真を掲載する事が可能であり、またオークションサイトのサーバの負荷を抑える事が可能である。また、商品の情報量が増す事によって入札率が向上する。
【発明の効果】以上説明したように、本発明によって現在迄の複雑な一連の操作をする事無く初心者でも簡単にインターネット上に写真を掲載する事ができる。
【図面の簡単な説明】
【図１】「システムの概要を示した図である。」
【図２】「写真掲載サーバ（Ｍ）が表示する写真送付用ホームページの概要を示した図である。」
【図３】「写真掲載サーバ（Ｍ）とユーザのインターネット端末（Ｕ）間における写真（Ｐ）及び製作されたＨＴＭＬ（Ｈ１）の概要を示した図である。」
【図４】「ユーザのインターネット端末（Ｕ）とその他のインターネット端末（Ａ）、その他サーバ（Ｋ）間における写真（Ｐ）及び製作されたＨＴＭＬ（Ｈ１）の概要を示した図である。」
【符号の説明】
１  インターネット網
Ｍ  写真掲載サーバ
Ｕ  ユーザのインターネット端末
Ｐ  写真
Ｈ１  ＨＴＭＬ
Ａ  その他のインターネット端末
Ｋ  その他サーバ
Ｂ１  図２中の掲載したい写真を選ぶ所
Ｂ２  図２中の押す事により送信できる所
【図１】
2004157948.tif 000003
【図２】
2004157948.tif 000004
【図３】
2004157948.tif 000005
【図４】
2004157948.tif 000006